(57)【要約】  ３つ以上の異なるサイズの吸収性物品のパッケージ群であって、この群は、第１、第２及び第３サイズを有する第１、第２及び第３の吸収性物品を含む第１、第２及び第３パッケージを含む。第１、第２及び第３パッケージの群の獲得／物品システム対製品ピッチの比率は、約１０％〜約２８％である。
2016526981.tif 000002
【特許請求の範囲】
【請求項１】
３つ以上の異なるサイズの吸収性物品を含むパッケージの群であって、前記群は、
第１サイズ及び第１腰部領域を有する第１吸収性物品を含む第１パッケージと、
第２サイズ及び第２腰部領域を有する第２吸収性物品を含む第２パッケージと、
第３サイズ及び第３腰部領域を有する第３吸収性物品を含む第３パッケージと、を含み、
前記群の獲得／分配システム対製品ピッチの比率は、１０％〜２８％であり、
前記第１、第２及び第３パッケージは、同じブランド名及び下位ブランド名を含む、群。
【請求項２】
前記群の獲得／分配システム対製品ピッチの比率は、１５％〜２８％である、請求項１に記載の群。
【請求項３】
前記群の獲得／分配システム対製品ピッチの比率は、１５％〜２５％である、請求項１に記載の群。
【請求項４】
前記群の獲得／分配システム対製品ピッチの比率は、１８％〜２２％である、請求項１に記載の群。
【請求項５】
前記群の獲得／分配システム対製品ピッチの比率は、１９％〜２１％である、請求項１に記載の群。
【請求項６】
前記第１吸収性物品は、前記第１腰部領域にストランドを含み、且つ、第２吸収性物品は、前記第２腰部領域にエラストマーフィルムを含む、請求項１〜５のいずれか一項に記載の群。
【請求項７】
前記第１及び第２吸収性物品は、組成的に同一のコア超吸収性ポリマーを含む、請求項１〜６のいずれか一項に記載の群。
【請求項８】
前記第１及び第２パッケージの前記第１及び第２吸収性物品は、前側、後側、又は股部領域内のうちの少なくとも１つにおいて、同一の断面配置を有するシャーシを含む、請求項１〜７のいずれか一項に記載の群。
【請求項９】
前記パッケージの群が、オンライン群である、請求項１〜８のいずれか一項に記載の物品。
【請求項１０】
少なくとも２つの前記パッケージは、閉鎖形態の成人失禁用使い捨て吸収性物品を含む、請求項１〜９のいずれか一項に記載の群。
【発明の詳細な説明】
【技術分野】
【０００１】
本開示は、獲得／分配システムの配置によって改善された性能を備えるよう設計された使い捨て吸収性物品群を提供することに関する。
【背景技術】
【０００２】
成人失禁用（「ＡＩ」）物品は、人間の身体からの液体及び他の排泄物を吸収し封じ込めて、身体及び衣服を汚れることから防ぐように設計されている。成人失禁用物品は、典型的にそれぞれが複数のサイズで入手可能な多様な設計になる。物品のサイズは、典型的に、物品の長さ、すなわち「ピッチ」、物品の前縁部に対する吸収性コアの長さ及び配置、並びに物品の前縁部に対する獲得／分配システムの長さ及び配置に影響を及ぼす。コア及び獲得／分配システムの配置は、物品の性能を促進するために、理想的には、身体からの尿出口ポイント（また「おしっこポイント」とも呼ばれる）に対して近位に配置される。身体から出た時点の尿が、獲得／分配システムに当たらない場合、製品からの漏れの可能性が増加する。
【０００３】
現在、成人失禁用物品は、「サイズ」でラベル付けされたパッケージで販売されている。例えば、パッケージは、「Ｓ／Ｍ」、「Ｌ」、又は「ＸＬ」に分類されている。今日、成人失禁用製品は、最大３サイズの群で顧客に市販されている。サイズの群は、典型的には、全ての成人の範囲をカバーするように意図されている。この範囲は、最大１３６ｋｇ（３００パウンド（「ｌｂｓ」））（４５ｋｇ未満〜１８１ｋｇ超）（１００ｌｂｓ未満〜４００ｌｂｓ超）、並びに腰部周囲及び臀部周囲において約１０２ｃｍ超（約４０インチ）（約６４ｃｍ〜１６３ｃｍ超）（約２５インチ〜６４インチ超）に及ぶ。これに比べて、典型的な乳児おむつの群は、７サイズで入手可能であり、これは約４０ｌｂ及び５１ｃｍ（２０インチ）未満の腰部周囲及び臀部周囲の範囲のみをカバーするよう意図されている（未熟児〜幼児）。不運にも、今日まで、成人失禁用製品において同様の多様なサイズは、これら製品のコスト及び小売業の棚スペースを増加させることから考慮されてこなかった。これら障害は、切迫した顧客ニーズによって克服され得、本発明は、前例のない快適性及び漏れ防止を提供して非常に改善されたフィット性をもたらす。
【０００４】
理想的には、製品群は、最も少ないサイズ数で、最大の顧客範囲にフィットすべきである。典型的には、成人失禁用パッケージには、物品がフィットするよう意図されている推奨される装着者の腰部周囲範囲がラベル付けされる。その結果、腰部周囲は多くの場合、成人失禁用物品のサイズを特定するために使用される唯一の条件である。腰部サイズは、個人の身体形状を十分に描写せず、したがって、身体から出る尿のポイントを画定することにも、そして、物品の適切なフィット性及び適切な尿の取り扱いを提供するために必要とされ得る製品ピッチ、並びにコア及び獲得／分配システムの配置を画定することにも役立たない。事実、潜在的着用者の他の特性及び身体測定属性（例えば、年齢、身長、体重、太腿の周囲、股上及び尿出口ポイント）は、推奨された腰部周囲範囲において多様に変化し、着用者の腰部周囲がその範囲内に収まっているにもかかわらず、フィットしない、性能を発揮できない物品になり得る。
【０００５】
適したサイズ物品の特定及び選択に関する典型的状況を更に複雑にするのは、関連パッケージにおける推奨された腰部周囲範囲の１つの「サイズ」から次のサイズまでに重複が存在することである。例えば、「サイズＳ／Ｍ」物品は、約７１〜１０２ｃｍ（２８〜４０インチ）の推奨された腰部周囲範囲を有し得、「サイズＬ」物品は、約９７〜１２７ｃｍ（３８〜５０インチ）の推奨された腰部周囲範囲を有し得、並びに「サイズＸＬ」物品は、約１２２〜１６３ｃｍ（４８〜６４インチ）の推奨された腰部周囲範囲を有し得る。このような重複及びユーザの身体形状の更なる定義の欠落は、フィットしない物品につながり得る。
【発明の概要】
【発明が解決しようとする課題】
【０００６】
したがって、製品形状を修正することにより、全ての主要身体計測に対して、最も少ないサイズ数で、製品のフィット性及び尿獲得／分配システムの配置を最良にする物品群が必要とされている。
【０００７】
しかしながら、米国の肥満者が過去３０年間に２倍になったことを含む多くの理由から、より少ないサイズ数を提供しながら適切なフィット性及び性能を提供することは、難しい課題である。国立健康統計センター（ＮＣＨＳ）は、米国の成人の３５％超が肥満であると考えられていることを示している。更に、体重が増加するにつれ、他の身体計測値は増加するが、比例的でない。より多くの人々が、肥満、病気、及び運動関連問題により失禁症を患う。更に、事をより難しくしているのは、人々が年をとると、彼らのフィットの好みも変化する（例えば、より年齢の低い女性はより低くフィットするビキニタイプのパンティを好み、より年齢の高い女性はより高くフィットするブリーフタイプを好む）。
【課題を解決するための手段】
【０００８】
したがって、いかにより少ない数のサイズ提供で広範囲の着用者のニーズにマッチさせるかが、本開示の共有すべき目的の１つである。フィット性に関する顧客の認識、顧客の身体計測の範囲、物品の形状及び材料特性、並びに群中の入手可能なサイズ数の間には、相関関係が存在するので、最大範囲の成人顧客に適したフィット性及び性能を最小のサイズ数で提供するために、獲得／分配システムの配置を活用することであるが、本開示の目的である。
【０００９】
本願の大部分が成人失禁用製品に焦点をあてているが、本願の教示は幼児おむつに役立ち得る。特に、獲得／分配システム対製品ピッチの比率が１０％〜２８％、１５％〜２５％、１８〜２２％、又は１９％〜２１％である群を有する幼児用おむつを有することが望ましくあり得る。
【図面の簡単な説明】
【００１０】
【図１】典型的な使用中構成の、例示の使い捨てプルオン衣類の斜視図である。
【図２】典型的な使用中構成の、例示の使い捨てプルオン衣類の斜視図である。
【図３】内側表面が見える、平坦な非収縮状態のプルオン衣類の平面図である。
【図４Ａ】例示の使い捨てプルオン衣類の図３の線４〜４に沿った、第３の実施形態の概略断面図である。
【図４Ｂ】例示の使い捨てプルオン衣類の図３の線４〜４に沿った、第４の実施形態の概略断面図である。
【図４Ｃ】例示の使い捨てプルオン衣類の図３の線４〜４に沿った、第８の実施形態の概略断面図である。
【図５Ａ】本発明の一実施形態において適した、折り畳まれた外側レッグカフの実施例の図３の線５〜５に沿った概略断面図である。
【図５Ｂ】本発明の一実施形態において適した、折り畳まれた外側レッグカフの別の実施例の図３の線５〜５に沿った概略断面図である。
【図６】成人女性の冠状面（coronal plane）を示す概略図である。
【図７】失禁用物品を装着している成人女性の冠状面を示す概略図である。
【図８】吸収性コア及び獲得／分配システムを示す、平坦な非収縮状態のプルオン衣類の平面図である。
【発明を実施するための形態】
【００１１】
本明細書で使用するとき、用語「プルオン衣類」は、画定された腰部開口部及び一対の脚部開口部を有する着用物品であって、脚部開口部の中に脚を挿入して腰部上方へと物品を引っ張り上げることによって、着用者の身体上へと引っ張り上げられる着用物品を指す。本明細書では、用語「使い捨て」は、洗濯、又は別の方法で衣類として復元若しくは再利用することを目的としない衣類（すなわち、それらは１回使用後に廃棄されることを目的とし、リサイクルされるか、堆肥化されるか、又は環境に適した方式で処理されることを目的とする）を記述するために使用される。プルオン衣類は、身体から排出された様々な排泄物を吸収し封じ込めるように「吸収性」であり得る。
【００１２】
本願で使用するとき、用語「吸収性物品」とは、尿、糞便、及び／又は経血を吸収し封じ込めるために、幼児及び成人を含む、他の失禁症状のある人によって、着用されるプルオン衣類を指す。しかしながら、用語の吸収性物品はまた、トレーニングパンツ、失禁者用ブリーフ、女性用衛生衣類、又は、パンティなど、他の衣類にも適用できることを理解されたい。
【００１３】
本願で使用されるとき、用語「獲得／分配システム」２０６は、トップシート５８及び吸収性コア６２の中間に配置された構造体（単数又は複数）を指し、これは、身体から吸収性コア６２に尿を移送することを促進するように設計されている。これらの材料には、これらに限定されないが、パルプ構造体、不織布材料、有孔性フィルム、ティッシュ、又はこれの組み合わせが挙げられる。獲得／分配システムの詳細をより詳しく以下で説明する。
【００１４】
本願で使用するとき、用語「股上」２０３は、臍（臍点、ｏｍｐｈａｌｉｏｎ）から背中のくびれ部２０２までの、女性の身体の中央に沿った冠状距離を指し、これは臍２００と同じ横断水平面２０９上の冠状面２０７内に存在する。
【００１５】
本願で使用するとき、用語「臍から外陰部まで」は、臍（臍点）２００から外陰部２０１との第１接触部までの、女性の身体の中央に沿った冠状距離を指す。
【００１６】
本願で使用するとき、用語「臍から物品の縁部まで」は、臍（臍点）２００から物品の第１腰部縁部（前側）１３４までの、女性の身体の中央に沿った冠状距離を指す。第１腰部縁部１３４が臍２００の垂直的下方にある場合、その値はマイナスであると考えられる。第１腰部縁部１３４が臍２００の垂直的上方にある場合、その値はプラスであると考えられる。
【００１７】
本願で使用されるとき、用語「前側縁部からの、獲得／分配システムの配置」は、物品の第１腰部（前側）１３４から獲得／分配システム２０６の先導縁部２０８までの製品距離である。
【００１８】
本願で使用するとき、用語「製品ピッチ」は、第１縁部１３４から第２縁部１３８までの物品の長手方向長さである。
【００１９】
本願で使用するとき、用語「獲得／分配システム対製品ピッチの比率」は、前縁部からの獲得／分配システムの配置を「製品ピッチ」により除して、％で表したものである。
【００２０】
本願で使用するとき、用語「群の獲得／分配システム対製品ピッチの比率」は、群中の全ての製品の「獲得／分配システム対製品ピッチの比率」の平均値である。
【００２１】
本明細書において用語「結合されている」は、ある要素を別の要素に直接取り付けることによって、その要素がその別の要素に直接取り付けられる構成、及びある要素を中間部材（１つ又は２つ以上）に取り付けてから、その中間部材を別の要素に取り付けることによって、その要素がその別の要素に間接的に取り付けられる構成を包含する。
【００２２】
本願で使用するとき、用語「群」は、（フラップの内が［組成的に及び／又は構造的に］同じエラストマー材、図形的要素などの）同様の物品の構造体を有する異なるサイズの使い捨て物品を含むパッケージの表示を意味し、上記パッケージは、同じブランド及び／又は下位ブランドを有し、上記パッケージは、小売店の所与の領域内で互いに近位に方向付けられている。群は、顧客に、通常、異なる個々のパッケージがより大規模ラインナップの一部分であることを伝える類似のパッケージ要素（例えば、材料種類、フィルム、紙、主要色、設計主題など）を有する製品ラインアップとして市販されている。群は、大抵同じブランドを有し、例えば、「Ｄｅｐｅｎｄ」は、同じ下位ブランドの、例えば、「ｆｏｒ  Ｗｏｍｅｎ  Ｕｎｄｅｒｗｅａｒ」を有する。異なる群は、「Ｄｅｐｅｎｄ」ブランド及び下位ブランドの「Ｓｉｌｈｏｕｅｔｔｅ  Ｆｏｒ  Ｗｏｍｅｎ」を有し得る。この「ｆｏｒ  Ｗｏｍｅｎ  Ｕｎｄｅｒｗｅａｒ」群及び「Ｓｉｌｈｏｕｅｔｔｅ  Ｆｏｒ  Ｗｏｍｅｎ」群の違いは、側部折り込み部に異なるエラストマー材を含むことであり、「ｆｏｒ  Ｗｏｍｅｎ  Ｕｎｄｅｒｗｅａｒ」は、エラストマー材としてストランドを含み、「Ｓｉｌｈｏｕｅｔｔｅ  Ｆｏｒ  Ｗｏｍｅｎ」は、フィルム状エラストマー材を含む。更に、「ｆｏｒ  Ｗｏｍｅｎ  Ｕｎｄｅｒｗｅａｒ」は、濃い緑系フィルムバッグに、「Ｓｉｌｈｏｕｅｔｔｅ  Ｆｏｒ  Ｗｏｍｅｎ」は、濃いえび茶色の箱に包装されている点で、パッケージは明らかに異なる。
【００２３】
更に「群」に関して、同じブランド「Ｃｅｒｔａｉｎｔｙ」を有する２つの別個の「群」の他の例としては、１つのラインアップが、下位ブランド「Ｗｏｍｅｎ’ｓ  Ｕｎｄｅｒｗｅａｒ」を有する。別の群は、同じ「Ｃｅｒｔａｉｎｔｙ」ブランド及び下位ブランドの「Ｓｍｏｏｔｈ  Ｓｈａｐｅ  Ｂｒｉｅｆｓ  ｆｏｒ  Ｗｏｍｅｎ」を有し得る。この「Ｗｏｍｅｎ’ｓ  Ｕｎｄｅｒｗｅａｒ」群及び「Ｓｍｏｏｔｈ  Ｓｈａｐｅ  Ｂｒｉｅｆｓ  ｆｏｒ  Ｗｏｍｅｎ」群の違いは、側部折り込み部に異なるエラストマー材を含み、「Ｗｏｍｅｎ’ｓ  Ｕｎｄｅｒｗｅａｒ」は、エラストマー材としてストランドを含み、「Ｓｍｏｏｔｈ  Ｓｈａｐｅ  Ｂｒｉｅｆｓ  ｆｏｒ  Ｗｏｍｅｎ」は、フィルム状エラストマー材を含む。更に、「Ｗｏｍｅｎ’ｓ  Ｕｎｄｅｒｗｅａｒ」は、濃い青色のフィルムバッグに、「Ｓｍｏｏｔｈ  Ｓｈａｐｅ  Ｂｒｉｅｆｓ  ｆｏｒ  Ｗｏｍｅｎ」は、濃いえび茶色の箱に包装されている点で、パッケージは明らかに異なる。
【００２４】
群はまた、しばしば、ブランド、下位ブランド、並びに／あるいはラインアップにわたる形状及び／又は有益性の商標を含む同じ商標を有する。
【００２５】
本願で使用するとき、用語「オンライン群」は、共通のオンラインソースによって配信された「群」を意味する。
【００２６】
図１及び２は、吸収性物品２０の斜視図である。図３に示されるように、吸収性物品２０は、長手方向中心線Ｌ１及び横方向中心線Ｔ１を有する。吸収性物品２０は、外側表面２２、外側表面２２に対向する内側表面２４、前側領域２６、後側領域２８、股部領域３０、及び前側領域２６と後側領域２８とを接合して、２つの脚部開口部３４及び腰部開口部３６を形成するシーム３２を有する。また図１〜３を参照すると、吸収性物品２０は、主要部分１、側部分２、及び腰部部分３を含む。
【００２７】
図１及び３で示される実施形態では、吸収性物品２０は、着用者の股部領域を覆う吸収性本体３８（以下、「本体」又は「中央シャーシ」と記載される場合がある）、及び腰部開口部３６の周りを横方向に伸びるベルト４０を含む。吸収性物品２０は、本体３８を覆う外側カバー層４２を更に含んでもよい。ベルト４０は、腰部開口部３６を画定する。ベルト４０、本体３８、及び／又は外側カバー層４２は共に、脚部開口部３４を画定する。図３及び６に示されるように、脚部開口部３４を形成するベルト部分は、形作られる。図３が別個の第１ベルト層８３を図示しする一方で、図６は全体外側カバー不織布第１ベルト層８２を図示する。
【００２８】
図２に示される実施形態では、吸収性物品２０は、着用者の股部領域を覆う吸収性本体３８、及び腰部開口部３６の周りを横方向に伸びるベルト４０を含む。吸収性物品２０はまた、本体３８を覆う外側カバー層４２を更に含んでもよい。ベルト４０は、腰部開口部３６を画定する。ベルト４０、本体３８、及び／又は外側カバー層４２は共に、脚部開口部３４を画定する。１つ以上のベルト層は、第１腰部領域２６の第１腰部縁部１３４から股部領域を通って、長手方向で反対側にある第２腰部領域２８の第２腰部縁部１３８へ延びてもよく、吸収性物品２０の外側表面の一部分又は全体を形成してもよい。
【００２９】
吸収性本体３８は、本体３８上に配置される身体滲出物を吸収し、封じ込める。図３に示される実施形態では、本体３８は、長手方向中心線Ｌ１、横断方向中心線Ｔ１、長手方向に延びる左及び右側縁部４８（以下、「長手方向側縁部」と称されることもある）、並びに横方向に延びる前側及び後側の末端縁部５０（以下、「横方向末端縁部」と称されることもある）を有するほぼ方形形状を有する。本体３８はまた、腰部パネル（すなわち、吸収性物品２０の前側腰部領域２６に位置付けられる前側腰部パネル５２、及び後側腰部領域２８に位置付けられる後側腰部パネル５４）、及び股部領域３０の、前側腰部パネル５２と後側腰部パネル５４との間の股部パネル５６を有する。
【００３０】
図４Ａ及び４Ｂに示される実施形態では、吸収性物品２０は、前側及び後側腰部領域２６、２８にそれぞれ配置され、着用者の腰部の少なくとも一部分を取り囲むことを目的とする前側及び後側伸張可能ベルト８４、８６を含んでもよく、前側及び後側ベルト８４、８６は、物品の股部領域３０を形成する本体によって接続される。第１及び第２ベルトは、第１腰部領域２６の第１腰部縁部１３４から股部領域を通って、長手方向に向かい合う第２腰部領域２８の第２腰部縁部１３８へと延び、吸収性物品２０の外側表面の一部分を形成する第１ベルト層８２（例えば、「全外側カバー不織布」又は「外側カバーウェブ」）から形成されてもよい。前側及び後側ベルト８４、８６はまた、吸収性物品の内側表面２４の一部を形成する第２ベルト層８３ａ及び８３ｂ（例えば、「内側ベルトウェブ」）を含んでもよく、第２ベルト層は、２つの長手方向に離間配置された材料のウェブで形成されてもよい。第１及び第２ベルト部分はまた、第１ベルト層と第２ベルト層との間に配置されたエラストマー材２００（例えば、「弾性要素」又は「弾性体」）を含んでもよい。エラストマー材は、弾性ストランド、エラストマーフィルム、エラストマーリボン、エラストマー不織布、エラストマーフィラメント、エラストマー系接着剤、エラストマー発泡体、スクリム、又はこれらの組み合わせを含んでもよい。吸収性物品の本体３８（「中央のシャーシ又は中央シャーシ」）は、外側表面２２、バックシート６０、内側表面２４、トップシート５８、及びトップシート５８と吸収性コア６２との間に配置された獲得／分配システム２０６を含んでもよい。第１ベルト層は、外側表面２２の一部分を形成してよい。加えて、本体は、本体の側縁部又はその近傍に配置された伸縮性バリアレグカフ６４を含んでもよい。第２ベルト層は、本体の少なくとも一部分に重なり合ってよく、第２ベルト層のウェブの一方又は両方は、第１ベルト層の外側表面、あるいは第１ベルト層の内側表面を形成してよい。あるいは、第１ベルト層８２の前側部分及び／又は後側部分は、ベルト領域の腰部縁部に沿って折り畳まれてエラストマー材を包み、前側及び後側ベルト部分８４、８６の一方又は両方の第２ベルト層の一部分を形成してよい。換言すれば、それぞれのベルト部分の内側表面及び外側表面は、材料の単一ウェブから形成されてよい。図６は、図４Ｂと一致する実施形態の平面図である。
【００３１】
図４Ｃに示される実施形態では、吸収性物品２０は、着用者の腰部の少なくとも一部分を取り囲むことを目的とする前側及び後側ベルト８４、８６を含んでもよく、前側及び後側ベルト８４、８６は、吸収性物品２０の股部領域３０の一部分を形成する本体３８に接続される。前側及び後側ベルト８４、８６は、吸収性物品の外側表面の一部分を形成する第１ベルト層８２から形成される。前側及び後側ベルト部分８４、８６はまた、吸収性物品２０の内側表面２４の一部分を形成する第２ベルト層８３を含む。第２ベルト層は、横方向に不連続かつ横断方向に離間配置されてよい。第１及び第２のベルト層８２、８３は、実質的に同じ材料で形成されてもよく、又は異なる材料を含んでもよい。第１及び第２ベルト層８２、８３は、不織布、フィルム、発泡体、又はこれらの組み合わせから形成されてもよい。前側及び後側ベルト部分８４、８６はまた、第１ベルト層８２と第２ベルト層８３との間に配置されたエラストマー材を含んでもよい。エラストマー材は、弾性ストランド、エラストマーフィルム、エラストマーリボン、エラストマー不織布、エラストマーフィラメント、エラストマー系接着剤、エラストマー発泡体、スクリム、又はこれらの組み合わせを含んでもよい。エラストマー材の一部分は、外側カバー層と直接組み合わされてもよい。吸収性物品の本体３８は、外側表面２２、バックシート６０、内側表面２４、トップシート５８、トップシート５８と吸収性コア６２との間に配置された獲得／分配システム２０６、及び、トップシート５８とバックシート６０との間に配置された吸収性コア６２を含んでもよい。特定の実施形態において、バックシートは、不織布及びフィルムの積層であってよく、不織布は外側カバー層によって形成される。加えて、本体３８は、本体３８の側縁部又はその近傍に配置された伸縮性バリアレグカフ６４を含んでもよい。前側及び後側ベルト８４、８６は、本体３８の少なくとも一部分と重なり合って、ベルトの一方又は両方は本体３８の外側表面に配置されてよい。第２ベルト層の一部分及び／又は第１ベルト層の一部分は、外側カバー層に直接取り付けられてもよい。前側及び後側ベルト８４、８６は、第１腰部領域２６の第１腰部縁部１３４から股部領域を通って第２腰部領域２８の第２腰部縁部１３８へと延び、吸収性物品２０の外側表面の一部分を形成する第１ベルト層から形成されてもよい。前側及び後側ベルト８４、８６はまた、第１腰部領域２６の第１腰部縁部１３４から股部領域を通って第２腰部領域２８の第２腰部縁部１３８へと延び、吸収性物品２０の内側表面の一部分を形成する第２ベルト層を含んでもよい。第１及び第２ベルト層は、実質的に同じ材料で形成されてよいか、又は異なる材料を含んでもよい。第１及び第２ベルト層は、不織布、フィルム、発泡体、織布材、又はこれらの組み合わせから形成されてもよい。前側及び後側ベルト部分８４、８６はまた、第１及び第２腰部領域２６、２８の一方又は両方の第１ベルト層と第２ベルト層との間に配置されたエラストマー材を含んでもよい。エラストマー材は、弾性ストランド、エラストマーフィルム、エラストマーリボン、エラストマー不織布、エラストマーフィラメント、エラストマー系接着剤、エラストマー発泡体、スクリム、又はこれらの組み合わせを含んでもよい。吸収性物品２０の本体３８は、外側表面２２、バックシート６０、内側表面２４、トップシート５８、トップシート５８と吸収性コア６２との間に配置された獲得／分配システム２０６、及び、トップシート５８とバックシート６０との間に配置された吸収性コア６２を含んでもよい。第１及び第２ベルト層の一方又は両方は、外側表面２２の一部分を形成してよい。加えて、本体３８は、本体３８の側縁部又はその近傍に配置された伸縮性バリアレグカフ６４を含んでもよい。前側及び後側ベルト８４、８６の一方又は両方の一部分は、本体３８の少なくとも一部分と重なり合ってもよい。あるいは、前側ベルト部分及び後側ベルト８４、８６は、ベルト部分の第１表面を形成するベルト層を含んでもよく、ベルト層はベルト部分の腰部縁部に沿って折り畳まれてエラストマー材を包み、反対側のベルト層の一部分と重なり合ってもよい。換言すれば、それぞれのベルト部分の内側表面の一部分及び外側表面の一部分は、材料の単一ウェブから形成されてよい。
【００３２】
本体３８の更なる横方向の延伸性は多様な方法で提供してよい。例えば、本体３８が作製される材料に、多くの既知の方法のいずれかによりひだを付けてもよい。あるいは、本体３８の全体又は一部分は、Ｃｈａｐｐｅｌｌらの名前で１９９６年５月２１日に発行された米国特許第５，５１８，８０１号に記載されるように形成されたウェブ材料又は形成されたウェブ材料の積層体で作製されてよい。この形成されたウェブ材料は、ほぼ長手方向に配向された交互の隆起部及び谷部のパターンを作るように、元の材料をエンボス加工又は別の変形方法によって変更させた横方向に延びる異なる領域を含み、また、横方向に延びる変更された領域間に横方向に延びる変更のない領域を含む。形成されたウェブ材料は、その点を超えて延びるのに必要とされるよりも実質的に小さな力で、隆起部及び谷部が平らになる点まで隆起部に直角な方向に延ばされることができる。横方向の延伸性に加えて、形成された積層ウェブを上記のように作製することは、本体３８のバックシートに改善された質感並びに布様の外観及び感触を提供する。変形は、フィルムに布様のパターンを作り、多層フィルムの不織布のかさばりを増加させ、積層バックシートの不織布を増加させる。
【００３３】
あるいは、吸収性物品の一部分は、米国特許第５，３６６，７８２号（Ｃｕｒｒｏらに１９９４年１１月２２日に発行）に記載されているように、リングロール加工され、よって高度に延伸性にされ得る。具体的には、リングロール装置は、噛みあう歯を有する対向するロールを含み、それらの歯は吸収性物品（又はその一部分）を形成する材料を徐々に引き伸ばして可塑的に変形させ、それによってリングロール加工された領域で物品の延伸性を与える。一実施形態では、吸収性物品は、前側又は後側腰部領域の少なくとも１つの一部分、例えば、前側及び後側ベルト８４、８６の一方又は両方の下にある及び／又はこれに直接隣接する本体３８の一部分などにおいて、リングロール加工されてもよく、一方で、他の領域は構造化された弾性様に形成されたウェブ材料を含んでもよい。物品は、腰部領域の一方又は両方において全幅にわたりリングロール加工されてもよいか、あるいは、本体３８の幅の一部分のみ又はベルトの一方若しくは両方の一部分のみがリング加工されてもよい。
【００３４】
本体３８は、液体透過性トップシート５８、液体不透過性バックシート６０、及びそれらの間に配置された獲得／分配システム２０６及び吸収性コア６２を含んでもよい。本体３８は、長手方向側縁部４８に沿って配置されるバリアレッグカフ６４を追加的に備えてもよい。バリアレッグカフ６４は、股部領域３０内の液体及び他の身体滲出物の、改善された封じ込めを提供する。図５に示されるバリアレッグカフ６４は、折り重ねられて２層を有するバリアレッグカフが形成されてもよい、材料の単一層を含む。バリアレグカフ６４は、長手方向側縁部４８又はその近傍で本体の側部から長手方向中心線Ｌ２に向かって延びる。バリアレッグカフは、折り畳み線６６に沿って、長手方向側縁部４８に向かって折り返されてもよい。バリアレグカフ６４は、遠位部分６８に隣接する第１バリアカフ弾性材料７２と、バリアレグカフ６４の近位部分７０に隣接する第２バリアカフ弾性材料７３とを有してよい。バリアレグカフ６４の近位部分７０は、長手方向側縁部４８に隣接するバックシート６０に接合されてよい。バリアレグカフ６４の折り畳み線６６に沿った部分及び遠位部分６８は、股部領域３０内の本体３８のいかなる部分へも接着を有さなくてもよく、そのためバリアレグカフ６４は着用者の身体に向かって直立する。バリアレグカフ６４の横端部７４を、長手方向に向かい合うレグカフの端部又はその近傍で、図５Ａに示されるような接着剤、熱ボンド、圧着などの任意の既知の手段であってもよい取り付け手段によりトップシート５８に接合してよい。受け入れ可能なカフ６４の例が、２０１２年４月２７日出願の米国特許出願第１３／４５７，５２１号に開示されており、図８ａ〜８ｔによって開示される構成を含む。例えば、図５Ｂに図示されるように、バリアレッグカフは２つのピースのカフである。更に、カフ６４は、カフ及び／又はバックシートフィルム６０の長手方向長さ全体に沿って伸びる漏れ防止ビード２１５によってバックシートに接合されてもよい。
【００３５】
液体透過性トップシート５８は、吸収性コア６２の身体に面する面に隣接して位置付けられていてよく、当該技術分野において既知である任意の取り付け手段によって、吸収性コア６２の身体に面する面及び／又はバックシート６０に接合されてもよい。液体不透過性バックシート６０は概して、吸収性コア６２の衣類に面する面に隣接して位置付けられる吸収性物品２０の部分であり、吸収性コア６２内に吸収され封じ込められた滲出物が、吸収性物品２０に接触し得る物品を汚すのを防ぐ。吸収性コアは、トップシート５８とバックシート６０との間に位置付けられ、尿及び他の特定の身体滲出物等の液体を吸収し、保持する。
【００３６】
トップシート５８、バックシート６０、及び吸収性コアは、任意の既知の材料によって製造されてよい。適したトップシート材料には、多孔質発泡体、網状発泡体、孔あきプラスチックフィルム、又は天然繊維（例えば、木材繊維若しくは綿繊維）、合成繊維（例えば、ポリエステル繊維若しくはポリプロピレン繊維）、又は天然繊維と合成繊維との組み合わせによる織布ウェブ若しくは不織布ウェブが挙げられ得る。適したバックシート材としては、蒸気をおむつから逃がすが、排出物がバックシートを通過することは防ぐ通気性材料が挙げられる。
【００３７】
吸収性物品２０に使用するのに適した吸収性コアは、一般に圧縮可能で、形状適合可能で、着用者の皮膚を刺激せず、尿及び他の特定の身体滲出物などの液体を吸収し保持することができる、任意の吸収材料を含んでもよい。更に、吸収性コアの形状及び構造も、異なってもよい（例えば、吸収性コア（単数又は複数）若しくは他の吸収性構造（単数又は複数）は、様々なキャリパーゾーン、親水性勾配（単数又は複数）、超吸収性勾配（単数又は複数）、若しくは比較的低い平均密度及び比較的低い平均坪量の獲得ゾーンを有してもよく、又は、１つ以上の層若しくは構造を含んでもよい）。一部の実施形態では、吸収性コアは、流体獲得構成体、流体分配構成体、及び流体貯蔵構成体を含んでもよい。流体獲得構成体、流体分配構成体、及び流体貯蔵構成体を有するのに適した吸収性コアの一例は、米国特許第６，５９０，１３６号に説明される。受け入れ可能エアーフェルトフリーのコア（すなわち、エアーフェルトをほとんど有しない又はエアーフェルトを有しない吸収性コアシステム）が、米国特許第５，５６２，６４６号、同第７，７５０，２０３号、同第７，７４４，５７６号、並びに米国特許出願公開第２００８／０３１２６１７Ａ１号、同第２００８／０３１２６１９Ａ１号、及び同第２００４／００９７８９５Ａ１号に開示されている。
【００３８】
適した獲得／分配システム２０６は、獲得層を代わりに又は追加的に含んでもよい。獲得層は、例えば、トップシート５８のすぐ下方に配置され得る。獲得層は、典型的には、スパンボンド、メルトブローン、及び更にスパンボンドされた層、又は、それとは代わりに、カーディングを施された化学接合された不織布を含む、ＳＭＳ又はＳＭＭＳ材料など、不織布材料であってもよく、又はそれを含んでもよい。一部の実施形態では、獲得層は、エアレイド又は湿式載置セルロース、架橋セルロース、若しくは合成繊維、又はこれらのブレンドを含んでもよい。特定の実施形態では、獲得層は、合成繊維のロールストックウェブ、又は嵩高材料を形成するために接着された合成繊維及びセルロース繊維の組み合わせを含んでもよい。あるいは、獲得層は、吸収性連続気泡発泡体を含んでもよい。不織布材料は、ラテックス結合されてもよい。獲得層の例は、米国特許第７，７８６，３４１号に開示されている。用いられる繊維が、中実で円形又は丸形で中空のＰＥＴステープル繊維（６デニール繊維と９デニール繊維との５０／５０又は４０／６０の混合）である場合は特に、カーディングされた樹脂結合不織布が用いられてもよい。例示的な結合剤は、ブタジエン／スチレンラテックスである。不織布は、加工ライン外で製造され、ロール材料として保存され、使用されるという長所を有する。獲得層５２は、ラテックス結合剤、例えば、スチレンーブタジエンラテックス結合剤（ＳＢラテックス）によって安定化されてもよい。
【００３９】
上述した第１の獲得層に加えて、更なる獲得層が使用されてもよい。例えば、ティッシュ層が、第１の獲得層と分配層との間に置かれてもよい。ティッシュは、上述した獲得層と比較して、毛管現象による分配特性を向上させ得る。ティッシュ及び第１獲得層は、同じサイズ又は異なるサイズであってもよい。例えば、ティッシュ層は、第１獲得層よりも吸収性物品の後部に更に延びてもよい。親水性ティッシュの例は、供給業者Ｈａｖｉｘによるセルロース繊維から作製された、１３〜１５ｇｓｍの高湿潤強度である。
【００４０】
本発明のベース基材の繊維を形成するために使用される組成物には、熱可塑性ポリマー材料及び非熱可塑性ポリマー材料が含まれ得る。熱可塑性ポリマー材料は、溶融紡糸に適したレオロジー特性を有する必要がある。ポリマーの分子量は、ポリマー分子間の絡み合いを可能にするうえで充分でなければならず、なおかつ溶融紡糸を可能とするだけ充分に低くなければならない。溶融紡糸のためには、熱可塑性ポリマーは、約１，０００，０００ｇ／ｍｏｌ未満、好ましくは約５，０００ｇ／ｍｏｌ〜約７５０，０００ｇ／ｍｏｌ、より好ましくは約１０，０００ｇ／ｍｏｌ〜約５００，０００ｇ／ｍｏｌ、更により好ましくは約５０，０００ｇ／ｍｏｌ〜約４００，０００ｇ／ｍｏｌの分子量を有する。他に特に断らない限りは、示される分子量は数平均分子量である。
【００４１】
熱可塑性ポリマー材料は、短繊維用の紡糸延伸プロセス又はスパンボンド連続繊維プロセスなどの、既知のプロセスで典型的に見られるように、比較的急速に、望ましくは延伸流動の下で固化して、熱安定性である繊維構造を形成することが可能である。好ましいポリマー材料としては、これらに限定されるものではないが、ポリプロピレン及びポリプロピレンコポリマー、ポリエチレン及びポリエチレンコポリマー、ポリエステル及びポリエステルコポリマー、ポリアミド、ポリイミド、ポリ乳酸、ポリヒドロキシアルカノエート、ポリビニルアルコール、エチレンビニルアルコール、ポリアクリレート、並びにこれらのコポリマー及びこれらの混合物が挙げられる。他の適したポリマー材料としては、米国特許公開第２００３／０１０９６０５（Ａ１）号及び同第２００３／００９１８０３号に詳細に述べられるような熱可塑性デンプン組成物が挙げられる。その他の適したポリマー材料としては、エチレンアクリル酸、ポリオレフィンカルボン酸のコポリマー、及びこれらの組み合わせが挙げられる。適したポリマーについては、米国特許第６，７４６，７６６号、同第６，８１８，２９５号、同第６，９４６，５０６号、及び米国特許公開第０３／００９２３４３号に記載されている。一般的な熱可塑性ポリマー繊維等級の材料が、使用されてもよく、ポリエステル系樹脂、ポリプロピレン系樹脂、ポリ乳酸系樹脂、ポリヒドロキシアルカノエート系樹脂、及びポリエチレン系樹脂、並びにこれらの組み合わせがある。一部の実施形態は、ポリエステル及びポリプロピレン系樹脂を使用する。
【００４２】
獲得／分配層を含む、獲得／分配システム２０６の使用に適した熱可塑性ポリマーの非限定的な例としては、脂肪族ポリエステルアミド；脂肪族ポリエステル；ポリエチレンテレフタレート（ＰＥＴ）及びコポリマー（ｃｏＰＥＴ）、ポリブチレンテレフタレート及びコポリマーを含む芳香族ポリエステル；ポリトリメチレンテレフタレート及びコポリマー；ポリプロピレンテレフタレート及びコポリマー；ポリプロピレン及びプロピレンコポリマー；ポリエチレン及びポリエチレンコポリマー；脂肪族／芳香族コポリエステル；ポリカプロラクトン；ポリ（ヒドロキシブチレート−コ−ヒドロキシバレレート）、ポリ（ヒドロキシブチレート−コ−ヘキサノエート）、又はＮｏｄａに付与された米国特許第５，４９８，６９２号に参照される他のより高次のポリ（ヒドロキシブチレート−コ−アルカノエート）を含むポリ（ヒドロキシアルカノエート）；脂肪族ポリオール（すなわち、ジアルカノイルポリマー）から誘導されたポリエステル及びポリウレタン；ポリアミド；ポリエチレン／ビニルアルコールコポリマー；乳酸ホモポリマー及び乳酸コポリマーを含む乳酸ポリマー；ラクチドホモポリマー及びラクチドコポリマーを含むラクチドポリマー；グリコリドホモポリマー及びグリコリドコポリマーを含むグリコリドポリマー；並びにこれらの混合物が挙げられる。更なる例には、脂肪族ポリエステルアミド、脂肪族ポリエステル、脂肪族／芳香族コポリエステル、乳酸ポリマー、及びラクチドポリマーが含まれる。
【００４３】
適した乳酸ポリマー及びラクチドポリマーとしては、一般に約１０，０００ｇ／ｍｏｌ〜約６００，０００ｇ／ｍｏｌ、約３０，０００ｇ／ｍｏｌ〜約４００，０００ｇ／ｍｏｌ、約５０，０００ｇ／ｍｏｌ〜約２００，０００ｇ／ｍｏｌの範囲の重量平均分子量を有する、乳酸及び／又はラクチドのホモポリマー及びコポリマーが挙げられる。市販のポリ乳酸ポリマーの例としては、コロラド州ゴールデン所在のＣｈｒｏｎｏｐｏｌ  Ｉｎｃｏｒｐｏｒａｔｉｏｎより販売される各種のポリ乳酸、及びＥｃｏＰＬＡの商品名で販売されるポリラクチドが挙げられる。適した市販のポリ乳酸の例としては、Ｃａｒｇｉｌｌ  ＤｏｗからのＮＡＴＵＲＥＷＯＲＫＳ及び三井化学株式会社からのＬＡＣＥＡがある。約１６０°〜約１７５℃の融点を有するポリ乳酸のホモポリマー又はコポリマーが望ましい。ポリＬ−乳酸、及び最大７５％のＤ−異性体濃度を有するポリＤ、Ｌ−乳酸などの、変性ポリ乳酸並びに種々の立体配置もまた、使用することができる。一部の実施形態では、高融点のＰＬＡポリマーを作り出すためのＤ及びＬ異性体の必要に応じたラセミ混合物も望ましい。これらの高溶融温度ＰＬポリマーは、１８０℃を超える溶融温度の特別なＰＬＡコポリマーである（尚、Ｄ−異性体及びＬ−異性体は異なるステレオモノマーとして取り扱われる）。これらの高い溶融温度は、平均的な溶融温度を上げるために結晶子径の特別な制御によって実現される。
【００４４】
使用される特定のポリマー、プロセス、及び繊維の最終用途に応じて１種類よりも多いポリマーが望ましい場合もある。本開示のポリマーは、繊維の機械的特性、繊維の不透明度を高め、繊維と流体の相互作用を最適化し、溶融物の加工性を高め、繊維の細径化性を高める量で存在する。ポリマーの選択及び量は、繊維が熱的に結合可能であるか否かを更に決定し、最終製品の柔軟性及びテクスチャに影響する。本発明の繊維は、単一のポリマー、複数のポリマーのブレンドを含むか、あるいは２種類以上のポリマーを含む多要素繊維であってよい。本発明における繊維は熱結合性のものである。
【００４５】
多成分のブレンドが望ましい場合もある。例えば、この方法を用いてポリエチレンとポリプロピレンのブレンド（以後、ポリマーアロイと呼ぶ）を混合及び紡糸することができる。別の例は、粘性又はモノマー含量が異なるポリエステルのブレンドである。区別可能な化学種を各要素に含有する多要素繊維を製造することもできる。その非限定的な例としては、２５メルトフローレート（ＭＦＲ）のポリプロピレンと５０ＭＦＲのポリプロピレンとの混合物、及び２５ＭＦＲのホモポリマーポリプロピレンと、コモノマーとしてのエチレンとポリプロピレンとの２５ＭＦＲのコポリマーとの混合物が挙げられる。
【００４６】
ポリマー材料は、１１０℃超、１３０℃超、１４５℃超、１６０℃超、又は２００℃超の溶融温度を有してもよい。高いガラス転移温度のポリマーが望ましい場合がある。最終用途形態の繊維において、ガラス転移温度は、−１０℃超で使用される場合があり、これは、０℃超、２０℃超、又は５０℃超である。特性の組み合わせは、高温において安定である繊維を生成する。この主の材料の代表的な例としては、ポリプロピレン、ポリ乳酸系ポリマー、及びポリエチレンテレフタレート（polyester terephthalate）（ＰＥＴ）系のポリマー系がある。
【００４７】
背景技術において記載されるように、獲得／分配システム２０６は、（より大きな獲得／分配システム２０６の非特定な配置に比べて）可能な限り小さく保たれ、正確に配置されることがより望ましい。獲得／分配システム２０６の長さは、２００ｍｍ〜３００ｍｍ、２１０ｍｍ〜２９０ｍｍ、２２０ｍｍ〜２８０ｍｍ、２３０ｍｍ〜２６０ｍｍ、又は２４０ｍｍ〜２５０ｍｍの範囲であり得る。幅は、６０ｍｍ〜９０ｍｍ、７０ｍｍ〜８０ｍｍ、７３ｍｍ〜７７ｍｍであり得る。
【００４８】
組成、寸法及び配置を含む他の適した獲得／分配システム２０６、並びに吸収性コア６２は、米国特許第７，１３８，５６１号、同第７，６８２，６８６号、同第７，４１０，６８３号、米国特許公開第２０１０−０３１０８４５号、同第２０１０−０３１２２０８号、同第２０１０−０３１２２１２号、同第２０１０−０３１０８３７号、同第２０１０−０３１０８１０号、同第２０１０−０３１２２１１号、同第２０１２−０２３８９７８号、同第２０１２−０２３８９８１号、同第２０１２−０２３８９７９号、同第２０１２−０２３８９８２号、同第２０１２−０２３８１７０号、同第２０１２−０２３７７１８号に記載され、図示される。
【００４９】
外側カバー層４２は、吸収性物品２０の外側表面２２上に配置され、また吸収性本体３８の股部パネル５６を覆ってもよい。外側カバー層４２は、本体３８の前側腰部パネル５２及び後側腰部パネル５４内へと延び、本体３８の前側腰部パネル５２及び後側腰部パネル５４を被覆してもよい。外側カバー層は、バックシート及び／又は本体の一部分を形成してもよい。外側カバー層４２は、本体３８の液体不透過性バックシート６０の一部分又は全部に直接接合され覆ってもよい。前側及び後側ベルト８４、８６の中央パネル８０は、外側カバー層４２を通して、本体３８の前側腰部パネル５２及び後側腰部パネル５４に接合されてもよい。したがって、外側カバー層４２は、前側及び後側ベルト８４、８６と、本体３８の液体不透過性バックシート６０との間に配置される。図２及び４Ａに示される一実施形態では、外側カバー層４２は、液体不透過性バックシート６０と同一の広がりを持つ。脚部弾性材料１４０は、本体３８の長手方向側縁部４８に沿って概ね長手方向に延びるように配置される。脚部弾性材料１４０は、少なくとも吸収性物品２０の股部領域３０に配置されてもよく、又は長手方向側縁部４８の全体に沿って配置されてもよい。
【００５０】
外側カバー層４２は、ベルト４０を構成する内側層８３及び外側層８２の材料とは別の材料を含んでもよい。外側カバー層４２は、材料の２つ以上の層を含んでもよい。外側カバー層４２は、任意の既知の材料を含んでもよく、上記説明の前側及び後側ベルト８４、８６に用いられる材料を含んでもよい。外側カバー層４２は、合成繊維の不織布ウェブの単一層を含んでもよい。外側カバー層４２は、疎水性で非伸縮性の不織布材料の単一層を含んでもよい。外側カバー層は、フィルム、発泡体、不織布、織布材料若しくは類似のもの、並びに／又はフィルム及び不織布の積層体などのそれらの組み合わせを含んでもよい。
【００５１】
ベルト４０は、前側ベルト８４及び後側ベルト８６（以下、「前側及び後側ベルト８４、８６」とする場合もある）を含んでもよく、前側ベルト８４及び後側ベルト８６をシーム３２で永続的に若しくは再固定可能に接合することによって、又は前側及び／若しくは後側ベルトを本体３８に永続的に若しくは再固定可能に接合することによって、リング様構成を有する。本開示の物品は、２０１３年３月１５日出願の米国特許出願第６１／７８７，４１６号並びに２０１３年３月１５日出願の米国特許出願第６１／７８７，３３２号に開示される再締結可能な要素、構成、及び製造方法を有し得る。再締結可能要素は、製造プロセス中に締結され、且つ／又は着用者又は介護者によって使用される前にパッケージ内で締結され得る（すなわち、パンツは「閉鎖形態」で販売され得る）。前側及び後側ベルト８４及び８６は、２０１２年６月２９日出願の米国特許出願第６１／６６６，０６５号、表題「ＤＩＳＰＯＳＡＢＬＥ  ＡＢＳＯＲＢＥＮＴ  ＲＥＦＡＳＴＥＮＡＢＬＥ  ＰＡＮＴＳ  ＡＮＤ  ＭＥＴＨＯＤＳ  ＦＯＲ  ＭＡＮＵＦＡＣＴＵＲＩＮＧ  ＴＨＥ  ＳＡＭＥ」、の図３Ａ〜Ｃ、及び４Ａ〜ｋに記載され、図示される多くの構成であり得る。更に、本開示の吸収性物品は、米国特許出願第６１／６６６，０６５号（例えば、第６１／６６６，０６５号の図５〜１０Ｃを参照のこと）の説明及び図に従って製造されてもよい。
【００５２】
ベルト４０は、リング状で弾性体であってもよい。リング状の弾性体のベルト４０は、吸収性物品２０の腰部開口部３６の周りで横方向に伸び、動的に取り付け力を生み出す働きをし、着用中に動的に生成された力を分配する働きをする。出願人らは、改善された着用感が、エラストマー材の距離、線密度及び予ひずみを、お互いに関して及び身体の開口部に関して制御することにより生成され得ることを発見した。このことは、所望の特性を呈するベルト４０全体に異なる材料を選択することにより生じ得る。異なる材料は、固有の距離、線密度、及び予ひずみで結合されて、適合力を動的に形成するように働くベルト４０を作製する。具体的には、本開示の物品は、２０１３年２月１２日出願の米国特許出願第１３／７６４，９９０号に開示の実施例１〜４の物品の特性を有してもよい。本開示の物品はまた、米国特許出願第１３／７６４，９９０号に開示され及び／又は２０１２年２月１３日出願の、米国特許出願第６１／５９８，０１２号に開示され弾性体と同じ応力、ひずみ及び間隔を有してもよい。本開示の物品はまた、米国特許出願第１３／７６４，９９０号に開示された同じ弾性区分及び力ゾーンを有してもよい。
【００５３】
前側ベルト８４は、５〜５０個の弾性ストランドを含んでもよい。前側ベルト８４は、１０〜２０個の弾性ストランドを含んでもよい。後側ベルト８６は、５〜５０個の弾性ストランドを含んでもよい。後側ベルト８６は、１０〜２０個の弾性ストランドを含んでもよい。弾性ストランドは、異なる力ゾーンの間で分配される。弾性ストランドは、力ゾーンの間で均等に分配されてよい。弾性ストランドはまた、異なる力ゾーンの間で不均等に分配されてよい。各力ゾーンは、少なくとも１つの弾性ストランドを含む。
【００５４】
弾性ストランドは、２００〜２５００の線密度を有してよい。線密度は、弾性ストランドにおける弾性繊維の密度である。線密度に最もよく用いられる単位は、１０，０００ｍ当たりのグラム単位の量である、デシテックスであり、ｄｔｅｘと略記される。線密度は力プロファイルを変更するために使用され得る。例えば、単一の弾性ストランドの線密度を選択する、複数の弾性ストランドをお互いにごく近接しているより小さな線密度と結合する、及び／又は他のエラストマー材と結合することによって、所望の力プロファイルに達することができた。
【００５５】
弾性ストランドは、弾性予ひずみを有してもよい。弾性予ひずみは、弾性ストランド又は複数の弾性ストランドにおける、その弾性体が第１及び／又は第２ベルト層に結合された点での長さの増加比率である。例えば、１５センチメートル（ｃｍ）の自由長を有するストランドは、１５ｃｍの弾性ストランドが今１８ｃｍの長さであるように適用する荷重を有してもよい。この３ｃｍの長さの増加は、１５ｃｍの２０％（３／１５）であり、つまり、２０％のひずみである。弾性予ひずみは、単一の弾性ストランド又は複数の弾性ストランドの力プロファイルを変更するために使用され得る。力プロファイルはまた、１つ以上の弾性ストランドの弾性予ひずみと共に線密度を変更することにより変更され得る。
【００５６】
各ゾーンの弾性ストランドの数は、吸収性コアの配置によって変更され得る。出願人らは、より薄い吸収性コアの使用は、物品の厚みの変化を補うために、弾性力の増加の必要性につながり得ることを発見した。力プロファイルは、吸収性コアの位置及び厚みによって調整される必要がある。このことは、特に第２弾性区分及び第３弾性区分に影響を及ぼす。
【００５７】
ベルト内に配置された弾性ストランドは、弾性ストランドの曲線の接線が中心線と鋭角を形成できるように又は弓形形状を形成できるように、湾曲した状態で整列されてよい。これは、力プロファイルのターゲッティング、及び／又はストレッチ区分内の印刷と伸縮性（elastication）／しわの程度／弾性との調整を可能にし得る。
【００５８】
伸縮性ベルト及びパンツの後側領域は、２０１２年６月２９日出願の米国特許出願第６１／６６６，０６５号、表題「ＤＩＳＰＯＳＡＢＬＥ  ＡＢＳＯＲＢＥＮＴ  ＲＥＦＡＳＴＥＮＡＢＬＥ  ＰＡＮＴＳ  ＡＮＤ  ＭＥＴＨＯＤＳ  ＦＯＲ  ＭＡＮＵＦＡＣＴＵＲＩＮＧ  ＴＨＥ  ＳＡＭＥ」の図３Ａ〜Ｃ、及び４Ａ〜ｋに記載され図示される多くの構成であり得る。更に、本開示の吸収性物品は、第６１／６６６，０６５号（例えば、第６１／６６６，０６５号の図５〜１０Ｃを参照のこと）の説明及び図に従って製造されてもよい。
【００５９】
本明細書に開示されたシーミング物品のために、ホットエアシーミングプロセス、並びに米国特許第６，２４８，１９５号、及び米国特許出願第１２／７９５０２１号、同第１３／４０１９０７号、及び同第１３／４０２０５６号に開示された物品形成プロセスを使用することが望ましい場合がある。更に、本願に開示された物品は、２０１２年５月１５日に出願された米国特許出願第６１／６４６，９５３号、及び同第６１／６４６，９７９号に従う図を有してもよい。
【００６０】
図６は、成人女性の冠状面２０７、臍（臍点）２００、（臍２０２と同じ横断水平面２０９上の）背中のくびれ部２０２、及び「臍から背中のくびれ部までの、冠状面に沿った身体の表面」２０３を図示する。女性の外陰部は２０１によって、臀部は２０５、及び脚は２０４によって示される。
【００６１】
図７は、成人女性の冠状面２０７、臍（臍点）２００、（臍２０２と同じ横断水平面２０９上の）背中のくびれ部２０２、「臍から背中のくびれ部までの、冠状面に沿った身体の表面」２０３、女性の外陰部２０１、及び臀部２０５を図示する。物品は、第１（前側）腰部縁部１３４、吸収性コア６２、及び獲得／分配システム２０６を含む。
【００６２】
図８は、吸収性コア６２及び獲得／分配システム２０６を示した、使い捨て物品の平面図を図示する。物品の第１腰部縁部（前側）１３４は、線Ａ−Ａによって画定される。吸収性コアの第１縁部（前側）２０９は、線Ｂ−Ｂによって画定される。獲得／分配システムの第１縁部（前側）２０８は、線Ｃ−Ｃによって画定される。獲得／分配システムの第２縁部（後側）２１０は、線Ｄ−Ｄによって画定される。吸収性コアの第２縁部（後側）２１１は、線Ｅ−Ｅによって画定される。第２腰部縁部（後側）１３８は、線Ｆ−Ｆによって画定される。
【００６３】
吸収性コア６２内への尿獲得及び分配／移送を促進するために、獲得／分配システム２０６が、外陰部２０１を覆うように、獲得／分配システム２０６を配置する（前縁部からの獲得／分配システムの配置）ことが望ましくあり得る。臍に対して外陰部が（臍から外陰部まで）存在する範囲及び分布、製品が身体上に臍に対して（臍から物品縁部まで）位置する範囲及び分布は、適切なフィット性と性能を達成する適切な設計を実現する因子である。
【００６４】
多くの成人によって着用されている、今日の市販の成人失禁用物品によって展開される「臍から物品縁部まで」の範囲は、典型的には、約−６ｃｍ（臍の下方）〜約６ｃｍ（臍の上方）である。臍から物品縁部の値が６ｃｍより下方になる場合、顧客は、製品は小さすぎる／短すぎると考え得、６ｃｍより上方になる場合、顧客は製品が大きすぎる／長すぎると考え得る。顧客は、この範囲内になる製品を購入し、着用する場合もあり、及びそれに基づいてより小さいサイズ又は大きいサイズに切り替える場合もある。
【００６５】
群内の各製品が特定の腰部周囲範囲に設計され、対象にする場合、個人顧客の様々な身体測定値と関連付けられる測定データが存在するため、各製品の臍から外陰部までの距離に関する範囲をまた、予想することができる。製品ピッチ、対象腰部周囲範囲及び（現存する身体測定データからの）臍から外陰部距離に関する予想される範囲を示した、発明製品の物品群の１つの実施例が、表１に記載される。
【００６６】
【表１】
2016526981.tif 000003
【００６７】
製品を成人身体（臍から物品縁部）上に装着させる顧客試験及び製品モデリングを通して、このような製品群が決定され得る。各サイズに関する累積度数は、チャート１に示されるように表される。
【００６８】
2016526981.tif 000004
【００６９】
臍から外陰部までの累積度数はまた、群中の各製品を装着させようとしている成人人口に対して、決定され得る。これはチャート２に示される。
【００７０】
2016526981.tif 000005
【００７１】
成人女性に関して、膣口は、外陰部の先導縁部から５ｃｍ〜１０ｃｍの範囲である。しかしながら、身体を出て製品に入る前に、流体は身体に沿って流れ得るので、獲得／分配システムが外陰部の先導縁部を覆うことは、望ましくあり得る。群中の各パッケージに関して、獲得／分配システムが外陰部を確実に覆うことにおいて最も厳しい条件は、臍から物品縁部までが最も低い位置にあるとき（製品が臍に対して最も低い位置にある）に、臍から外陰部距離が最も短いことに相まって起こる。したがって、群中の各製品の前側縁部からの獲得／分配システムの配置は、基本的にこの最も厳しい条件に沿って設計されるべきである。上記製品群の実施例のＳ／Ｍパッケージに関して、臍から外陰部の最小距離は、およそ１６ｃｍであり、臍から物品縁部までの最小距離は、−３ｃｍである。したがって、パッケージＳ／Ｍの前側縁部からの獲得／分配システムの配置は、およそ１３ｃｍ（臍から外陰部までの距離＋臍から物品の縁部までの距離）に設定されてもよい。この配置は、獲得／分配システムが、Ｓ／Ｍ範囲の成人女性顧客の大部分の外陰部を覆うのを確実にするのに役立つ。同じ論理が、Ｌ及びＸＬのパッケージ群の獲得／分配システムの配置に適用され得る。この発明群は、下記、表２中に示される。
【００７２】
【表２−１】
2016526981.tif 000006
【００７３】
【表２−２】
2016526981.tif 000007
【００７４】
現行の製品群のそれぞれに関して、前側縁部からの獲得／分配システムの配置は、意図される人口の全てを覆うのに十分ではないことが分かる。
【００７５】
同一又は実質的に同一のシャーシ
米国特許公開第２０１３−０２１１３５５号に開示されるように、異なるサイズの着用者にフィットするが、同一又は実質的に同一のシャーシを含むようなパッケージの群を提供することが望ましくあり得る。例えば、群は、第１サイズの吸収性物品を含む第１パッケージを含んでもよく、第２パッケージは、第２サイズの吸収性物品を含んでもよく、第１及び第２パッケージは、米国特許公開第２０１３−０２１１３５５号に記載されるような同一の又は実質的に同一のシャーシを含む。より具体的には、第１パッケージは、第１シャーシを含んでもよく、第２パッケージは、第２シャーシを含んでもよく、前記第１及び第２のシャーシのそれぞれが、横方向中心線でのコア幅、前側又は後側コア末端部の一方でのコア幅、左外側カフの遠位縁部から右外側カフの遠位縁部までの距離、左内側カフの遠位縁部から左外側カフの遠位縁部までの距離、左内側カフの近位縁部から右内側カフの近位縁部までの距離、左内側カフの近位縁部から左外側カフの遠位縁部までの距離、内側カフの自由高さ、内側カフのヘム折り畳み幅、内側カフの弾性長さ、外側カフの弾性長さ、コア長さ、及び、バックシート幅、のうちの１つ以上の同一の寸法を含む。
【００７６】
更に、前記第１及び第２のシャーシのそれぞれが、トップシート、バックシートフィルム、バックシート不織布、コア高吸水性ポリマー、コアパルプ、コア不織布、コアティッシュ、脚部カフフィルム、脚部カフ不織布、高吸収性ポリマー用接着剤、コア不織布用接着剤、脚部カフ弾性体用接着剤、及び、バックシート不織布／フィルム用接着剤、のうちの１つ以上の同一の化学組成を含んでもよい。
【００７７】
更に、前記第１及び第２のシャーシのそれぞれが、トップシート、バックシートフィルム、バックシート不織布、コア高吸水性ポリマー、コアパルプ、脚部カフ不織布、脚部カフフィルム、高吸水性ポリマー用接着剤、脚部カフ用接着剤、及び、バックシート不織布／フィルム用接着剤、のうちの１つ以上の同一の坪量を含んでもよい。
【００７８】
更に、第１及び第２シャーシは、組成的に同一のコアの超吸収性ポリマーを含んでもよい。第１及び第２シャーシは、前側腰部領域、後側腰部領域、及び股部領域、の少なくとも１つにおいて、同一の構成要素の断面の順番及び配置を有してもよい。第１及び第２シャーシの内側レッグカフは、組成的に同一の材料からなってもよい。
【００７９】
第１シャーシ及び第２シャーシのコア接着剤は、同じ接着剤であってもよい。第１及び第２シャーシは、同じ化学クラス及びサブクラス内のコア超吸収性ポリマーを含んでもよい。
【００８０】
第１及び第２シャーシのそれぞれは、第１及び第２濡れインジケータをそれぞれ含んでもよく、第１及び第２濡れインジケータは組成的に同一であってもよい。
【００８１】
前記第１及び第２シャーシの内側脚部カフは、前側腰部領域、後側腰部領域、及び、股部領域のうちの少なくとも１つにおいて同一の構成要素の断面の順番及び配置を有してもよい。左外側カフの遠位縁部から右外側カフの遠位縁部までの距離が同じであってもよい。左内側カフの近位縁部から左外側カフの遠位縁部までの距離が同じであってもよい。左内側カフの近位縁部から右内側カフの近位縁部までの距離は同じである。内側及び外側カフの長さは、同一である。
【００８２】
試験方法
製品ピッチ
−群中の各サイズの製品ピッチは、以下によって決定される：
−周囲室内条件（１５℃〜３５℃の温度及び３５％〜７５％の相対湿度）の下、試験を実施する。同じ条件下で試験をする前に、サンプルは少なくとも２時間、調整される。サンプル準備のための直線長さの測定は、米国標準技術局に又は他の標準化機構に追跡可能な装置によって行われる。
−製品ピッチが、長手方向では製品の第１腰部縁部１３４及び第２腰部縁部１３８によって、横方向では１０ｃｍ±０．１ｃｍによって画定される矩形領域によって画定される。サンプルは、製品の中央で鋭利なはさみでＬ１にて２等分されるように切断される。
−サンプルは、製品ピッチが第１腰部縁部１３４及び第２腰部縁部１３８間の距離によって画定されるように垂直に吊るされる。
−１０製品が試験され、製品ピッチはその平均値である。
【００８３】
前側縁部からの獲得／分配システムの配置
−「製品ピッチの計測」と同じサンプルを使用して、第１腰部縁部１３４から獲得／分配システム２０８の先導縁部までの距離を計測する。
−１０製品が試験され、前側縁部からの獲得／分配システムの配置はその平均値である。
【００８４】
獲得／分配システム対製品ピッチの比率
−獲得／分配システムと製品ピッチの比率は、前縁部からの獲得／分配システムの配置を、製品ピッチにより除して、結果を％で表したものである。
−１０製品が試験され、獲得／分配システム対製品ピッチの比率は、その平均値である。
−獲得／分配システム対製品ピッチの比率は、群中の全ての製品の「獲得／分配システム対製品ピッチの比率」の平均によって計算される。
【００８５】
本明細書に開示した寸法及び値は、列挙された正確な数値に厳しく制限されるものとして理解すべきではない。むしろ、特に断らない限り、そのような大きさのそれぞれは、記載された値及びその値の周辺の機能的に同等の範囲の両方を意味するものとする。例えば、「４０ｍｍ」と開示された寸法は、「約４０ｍｍ」を意味するものである。
【００８６】
「発明を実施するための形態」で引用した全ての文献は、関連部分において本明細書に参考として組み込まれるが、いずれの文献の引用も、それが本発明に関して先行技術であることを容認するものとして解釈されるべきではない。本明細書における用語のいずれかの意味又は定義が、参考として組み込まれる文献における用語のいずれかの意味又は定義と対立する範囲については、本明細書におけるその用語に与えられた意味又は定義を適用するものとする。
【００８７】
本発明の特定の実施形態が例示されて説明されたが、本発明の精神及び範囲から逸脱することなく様々な他の変形及び変更が行われ得ることは当業者にとって明白であろう。したがって、本発明の範囲内に含まれるそのような全ての変更及び修正は、添付の特許請求の範囲にて網羅することを意図したものである。
【図１】
2016526981.tif 000008
【図２】
2016526981.tif 000009
【図３】
2016526981.tif 000010
【図４Ａ】
2016526981.tif 000011
【図４Ｂ】
2016526981.tif 000012
【図４Ｃ】
2016526981.tif 000013
【図５Ａ】
2016526981.tif 000014
【図５Ｂ】
2016526981.tif 000015
【図６】
2016526981.tif 000016
【図７】
2016526981.tif 000017
【図８】
2016526981.tif 000018
【国際調査報告】
2016526981.tif 000019
2016526981.tif 000020
2016526981.tif 000021
2016526981.tif 000022